(57)【特許請求の範囲】
【請求項１】
レンズを保持する第１の移動部材と、
前記第１の移動部材の第１のカムフォロワー部と係合する第１のカム溝を備え、且つ第１の駆動領域において前記第１のカム溝の軌跡に沿って前記第１の移動部材を光軸方向に移動可能とする第１のカム部材と、
前記第１の移動部材を保持する第２の移動部材と、前記第２の移動部材の第２のカムフォロワー部と係合する第２のカム溝を備え、且つ第２の駆動領域において前記第２のカム溝の軌跡に沿って前記第２の移動部材を光軸方向に移動可能とする第２のカム部材と、を有するレンズ鏡筒であって、
前記第１の駆動領域において前記第１の移動部材は単独で移動が可能であり、
前記第２の駆動領域において前記第１の移動部材及び前記第２の移動部材は一体で移動が可能であり、
前記第１の駆動領域から前記第２の駆動領域へ移行する際、前記第１のカム溝に係合していた前記第１のカムフォロワー部が前記第１のカム溝から離脱すると共に、前記第２のカム溝から離脱していた前記第２のカムフォロワー部が前記第２のカム溝に係合し、
前記第２の駆動領域から前記第１の駆動領域へ移行する際、前記第２のカム溝に係合していた前記第２のカムフォロワー部が前記第２のカム溝から離脱すると共に、前記第１のカム溝から離脱していた前記第１のカムフォロワー部が前記第１のカム溝に係合することを特徴とするレンズ鏡筒。
【請求項２】
収納状態時に鏡筒本体に収納され、且つ前記第１の移動部材が保持するレンズよりも物体側に位置するレンズを保持する１群筒を備え、
前記第１のカム部材は、前記１群筒のカムフォロワー部と係合する第３のカム溝を有することを特徴とする請求項１に記載のレンズ鏡筒。
【請求項３】
前記第１の移動部材を前記第２の移動部材における初期位置に位置決めする方向へ付勢するよう、前記第１の移動部材と前記第２の移動部材との間にバネ部材を架設したことを特徴とする請求項１又は２に記載のレンズ鏡筒。
【請求項４】
前記第１の移動部材のフック部と前記第２の移動部材のフック部との間に架設されたバネ部材により前記第１の移動部材と前記第２の移動部材は、互いに近接する方向に付勢されていることを特徴とする請求項１乃至３の何れか１項に記載のレンズ鏡筒。
【発明の詳細な説明】
【技術分野】
【０００１】
本発明は、レンズ群を光軸方向に移動調整するレンズ繰り出し機構を備えたレンズ鏡筒に関する。
【背景技術】
【０００２】
近年、カメラ等の光学機器に装着されるズームレンズ鏡筒においては、高倍率ズームに対応するため、レンズ群の光軸方向への移動量が大きくなる傾向にある。
【０００３】
しかし、ズームレンズ鏡筒を装着したカメラは、小型化することが求められている。
【０００４】
そこで、従来のズームレンズ鏡筒では、鏡筒内部で移動されるレンズの移動量を確保しつつ、カム筒の光軸方向の長さを短くしたレンズ繰り出し機構が提案されている。
【０００５】
この従来のズームレンズ鏡筒のレンズ繰り出し機構では、鏡筒内部において２群レンズを移動させるために、カム環の内周面に２群案内カム溝が形成されている。このカム溝では、同一の基礎軌跡を有する一対の前方カム溝と後方カム溝とを、光軸方向に位置を異ならせて配置している。この一対の前方カム溝と後方カム溝とは、相互に基礎軌跡の全域をカバーするように構成されている。
【０００６】
このように構成したレンズ繰り出し機構では、鏡筒内部で２群レンズを移動させる際に、カム環に対する２群レンズ移動枠の前方への移動端で、後方に位置する後方カムフォロアと後方カム溝のみを係合させる。これと共に、このレンズ繰り出し機構では、後方の移動端で、前方に位置する前方カムフォロアと前方カム溝のみを係合させるようにしている。
【０００７】
一方、カム環の外周面には１群案内カム溝が３本形成されており、１群レンズが固定された第１外筒の内径方向に突出する３つの１群用ローラー（カムフォロアー）が嵌合している。
【０００８】
このように、従来のレンズ繰り出し機構では、カム環を第１外筒の内側へ位置させる。カム環の内周面には、２群案内カム溝を設ける。さらに、この２群案内カム溝では、前方カム溝と後方のカム溝とを、光軸方向に位置を異ならせて配置する。これによって、従来のレンズ繰り出し機構では、２群レンズ移動枠の光軸方向への移動量を同方向へのカム環の長さよりも大きくしている（例えば、特許文献１参照）。
【特許文献１】特許第３８６３８２９号
【発明の開示】
【発明が解決しようとする課題】
【０００９】
しかしながら、上述した従来のレンズ繰り出し機構では、カム環の内周面に、前方カム溝と後方のカム溝とである２群案内カム溝を設けるために、第１外筒の内側にカム環を配置している。このため、カム環の光軸方向の長さは、第１外筒の光軸方向の長さよりも短くなり、内周面に形成された２群案内カム溝に案内される２群レンズ移動枠の光軸方向への移動量も小さくなってしまう。
【００１０】
本発明の目的は、鏡筒内部において移動されるレンズ群の光軸方向への移動量をより大きくすることができるようにしたレンズ鏡筒を提供することにある。
【課題を解決するための手段】
【００１１】
上記目的を達成するために、請求項１記載のレンズ鏡筒は、レンズを保持する第１の移動部材と、前記第１の移動部材の第１のカムフォロワー部と係合する第１のカム溝を備え、且つ第１の駆動領域において前記第１のカム溝の軌跡に沿って前記第１の移動部材を光軸方向に移動可能とする第１のカム部材と、前記第１の移動部材を保持する第２の移動部材と、前記第２の移動部材の第２のカムフォロワー部と係合する第２のカム溝を備え、且つ第２の駆動領域において前記第２のカム溝の軌跡に沿って前記第２の移動部材を光軸方向に移動可能とする第２のカム部材と、を有するレンズ鏡筒であって、前記第１の駆動領域において前記第１の移動部材は単独で移動が可能であり、前記第２の駆動領域において前記第１の移動部材及び前記第２の移動部材は一体で移動が可能であり、前記第１の駆動領域から前記第２の駆動領域へ移行する際、前記第１のカム溝に係合していた前記第１のカムフォロワー部が前記第１のカム溝から離脱すると共に、前記第２のカム溝から離脱していた前記第２のカムフォロワー部が前記第２のカム溝に係合し、前記第２の駆動領域から前記第１の駆動領域へ移行する際、前記第２のカム溝に係合していた前記第２のカムフォロワー部が前記第２のカム溝から離脱すると共に、前記第１のカム溝から離脱していた前記第１のカムフォロワー部が前記第１のカム溝に係合することを特徴とする。
【発明の効果】
【００１３】
本発明のレンズ鏡筒によれば、鏡筒内部で移動されるレンズ群の光軸方向への移動範囲を第１のカム部材のカム機構と第２のカム部材のカム機構とに渡って設定することで、このレンズ群の移動量をより大きくすることができるという効果を奏する。
【発明を実施するための最良の形態】
【００１４】
以下、本発明の実施の形態について図面を参照しながら説明する。
【００１５】
図１は、本発明の実施の形態に係わるズームレンズ鏡筒の収納状態を示す断面図である。図２は、本発明の実施の形態に係わるズームレンズ鏡筒のＷＩＤＥ状態を示す断面図である。図３は、本発明の実施の形態に係わるズームレンズ鏡筒のＴＥＬＥ状態を示す断面図である。
【００１６】
図１乃至図３において、１は最も物体側に位置する１群レンズ、２は１群レンズ１に対して像面側に位置する２群レンズ、３はフォーカスレンズ、４はレンズ１を保持する１群筒である。この１群筒４の周上には、カムフォロアー４ａが周方向に位置を異ならせて３箇所設けられている。これと共に、１群筒４の周上には、直進ガイドのための凸部４ｂが周方向に位置を異ならせて２箇所設けられている。この１群筒４には、前面カバー部材５と、１群キャップ部材６とが固定されている。
【００１７】
また、２群レンズ２は、レンズ保持部材７に保持されている。レンズ保持部材７は、２群保持部材（第１の移動部材）８により、光軸と直行する面内で移動可能に保持されている。２群保持部材８には、周知の技術で構成されている光量切り替えユニット、シャッターユニット、及びレンズ保持部材７を光軸と直行する面内で駆動させるための駆動ユニットが備えられている。（各ユニットの詳細は不図示）また、２群保持部材８には、カムピンフォロアー部８ａと、カムピン側面部８ｂと、フック部８ｃとが設けられている。
【００１８】
２群保持部材８には、カムピンフォロアー部８ａとカムピン側面部８ｂがそれぞれ周方向に位置を異ならせて３箇所設けられている。また、２群保持部材８には、フック部８ｃが周方向に位置を異ならせて３箇所設けられている。
【００１９】
また、移動ベース部材（第２の移動部材）９には、カムピンフォロアー部９ａと、カムピン側面部９ｂと、フック部９ｃとが設けられている。カムピンフォロアー部９ａとカムピン側面部９ｂとは、それぞれ移動ベース部材９の周方向に位置を異ならせて３箇所設けられている。また、フック部９ｃは、移動ベース部材９の周方向に位置を異ならせて３箇所設けられている。さらに、この１群筒４では、２群保持部材８のフック部８ｃと移動ベース部材９のフック部９ｃとの間に、初期位置に位置決めする方向に付勢するバネ部材１０が架設されている。
【００２０】
図１２は、２群保持部材８と移動ベース部材９にバネ部材１０が架設された状態の正面図である。２群保持部材８は、移動ベース部材９に図１２紙面表方向から組み込み可能となっている。
【００２１】
この１群筒４では、フォーカスレンズ３が、レンズ保持部材１１に保持されており、図示しない駆動機構によって光軸方向へ駆動制御可能に装着されている。
【００２２】
また、この１群筒４の外周側には、第１カム筒（第１のカム部材）１２が配置されている。第１カム筒（第１のカム部材）１２には、カムフォロアー１２ａと、駆動ピン１２ｂが設けられている。
【００２３】
この第１カム筒１２は、その前面が、ズームレンズ鏡筒に装着した状態で１群筒４の最前面とほぼ同じ位置となるような、光軸方向の長さに構成されている。第１カム筒１２の内周面側には、フォロアー４ａを係合させるカム部１２ｃと、カムピンフォロアー部８ａを係合させるカム部１２ｄが形成されている。
【００２４】
この第１カム筒１２には、カムフォロアー１２ａ、駆動ピン１２ｂ、カム部１２ｃ及びカム部１２ｄが、それぞれ周方向に位置を異ならせた３箇所に設けられている。
【００２５】
この第１カム筒（第１のカム部材）１２のカム部１２ｄは、図８に示すように構成されている。
【００２６】
図８は、本発明の実施の形態に係わるズームレンズ鏡筒の、第１カム筒の内周面に形成されたカム部を展開して示す内面展開図である。
【００２７】
カム部１２ｄは、鏡筒の駆動領域の一部（第１の撮影領域を含む）の移動軌跡を形成している。このカム部１２ｄは、カムフォロアー部８ａと係合しているカム部１２ｄ−１を有する。これと共に、カム部１２ｄは、カムフォロアー部８ａと隙間が設けられているカム部１２ｄ−３と、カム部１２ｄ−１と１２ｄ−３の間を滑らかに変化させて形成されているカム部１２ｄ−２を備える。この第１カム筒１２には、キャップ部材１３が固定されている。
【００２８】
図１乃至図３に示すように、このズームレンズ鏡筒は、直進筒１４を有する。この直進筒１４には、直進キー部１４ａが周方向に位置を異ならせて３箇所配置されている。さらに、この直進筒１４には、２群保持部材８のカムピン側面部８ｂと係合する直進溝１４ｂと、１群筒４の凸部４ｂと係合する直進溝部１４ｃとが設けられている。
【００２９】
この直進筒１４には、周方向に位置を異ならせて４箇所設けられている凸部１４ｄと第１カム筒１２の凹部１２ｅとが所定の位相で組み込み可能となっている。この直進筒１４は、駆動領域において、図６に示すように第１カム筒１２と相対回転可能で、第１カム筒１２と一体で光軸方向へ移動可能に構成されている。
【００３０】
このズームレンズ鏡筒は、第２カム筒１５を備える。この第２カム筒１５には、カムフォロアー１２ａを係合させるカム部１５ａと、駆動ピン１２ｂを貫通させる貫通カム部１５ｂと、直進筒１４の直進キー部１４ａを係合させる直進溝１５ｃとが設けられている。また、第２カム筒１５には、移動ベース部材９のカムピン側面部９ｂと係合する直進溝１５ｄが設けられている。
【００３１】
図９は、本発明の実施の形態に係わるズームレンズ鏡筒の、第２カム筒の内周面に形成されたカム部を展開して示す内面展開図である。
【００３２】
第２カム筒１５には、爪部１５ｅが周方向に位置を異ならせて３箇所設けられている。第２カム筒１５は、直進部材１６を備える。直進部材１６には、直進キー部１６ａが周方向に位置を異ならせて３箇所設けられている。図７に示すように、直進部材１６には、爪部１６ｂが周方向に位置を異ならせて３箇所設けられており、第２カム筒１５の穴部１５ｆに係合して第２カム筒１５と一体となる。
【００３３】
このズームレンズ鏡筒は、第３カム筒（第２のカム部材）１７を備える。第３カム筒（第２のカム部材）１７には、カムフォロアー１７ａと駆動ピン１７ｂが周方向に位置を異ならせて３箇所設けられている。第３カム筒１７には、内周面側にカムピンフォロアー部９ａを係合させるカム部１７ｃが形成されている。
【００３４】
図１０は、本発明の実施の形態に係わるズームレンズ鏡筒の、第３カム筒の内周面に形成されたカム部を展開して示す内面展開図である。
【００３５】
カム部１７ｃは、鏡筒の駆動領域の一部（第２の撮影領域を含む）の移動軌跡を形成している。
【００３６】
また、カム部１７ｃは、カムフォロアー部９ａと係合しているカム部１７ｃ−１を有する。カム部１７ｃは、カムフォロアー部９ａと隙間が設けられているカム部１７ｃ−３と、カム部１７ｃ−１と１７ｃ−３の間を滑らかに変化させて形成されているカム部１７ｃ−２とを備える。
【００３７】
また、第３カム筒１７には、第１カム筒１２の駆動ピン１２ｂを係合させる直進溝１７ｄが設けられている。第３カム筒１７は、第２カム筒１５と爪部１５ｅが変形することによって組み込み可能となっている。第３カム筒１７は、第２カム筒１５と相対回転可能に装着され、第２カム筒１５と一体で光軸方向へ駆動される。この第３カム筒１７には、キャップ部材１８が固定されている。
【００３８】
このズームレンズ鏡筒は、固定筒１９を備える。固定筒１９には、図１１に示すように、カムフォロアー１７ａを係合させるカム部１９ａと、駆動ピン１７ｂを貫通させる貫通カム部１９ｂと、直進部材１６の直進キー部１６ａを係合させる直進溝１９ｃが設けられている。
【００３９】
図１１は、本発明の実施の形態に係わるズームレンズ鏡筒の、固定筒の内周面に形成されたカム部を展開して示す内面展開図である。
【００４０】
このズームレンズ鏡筒は、駆動筒２０を備える。駆動筒２０には、駆動ピン１７ｂと係合する溝部２０ａと、ギア部２０ｂとが設けられている。
【００４１】
このズームレンズ鏡筒は、ベース部材２１を備える。ベース部材２１は、図示しないカメラ本体に固定される部材である。ベース部材２１には、固定筒１９が固定されている。ベース部材２１には、撮像素子２３が取り付けられている。
【００４２】
また、固定筒１９には、駆動筒２０の光軸方向を規制する、カバー部材２２が固定されている。
【００４３】
次に、上述のように構成した本実施の形態に係わるズームレンズ鏡筒の動作について説明する。
【００４４】
まず、１群レンズ１を備えた１群筒４の動作について説明する。このズームレンズ鏡筒では、１群筒４を駆動するために、図示しない駆動機構の駆動を開始する。これにより、駆動機構の駆動力が駆動筒２０のギア部２０ｂに伝達されて、駆動筒２０が鏡筒繰り出し方向に回転する。
【００４５】
すると、駆動筒２０には、第３カム筒１７の駆動ピン１７ｂが係合しているので、第３カム筒１７も同方向に回転する。これと共に、第３カム筒１７は、カムフォロアー１７ａが固定筒１９のカム部１９ａに係合しているので、光軸方向に移動する。
【００４６】
このとき、直進部材１６の直進キー部１６ａが固定筒１９の直進溝１９ｃに係合しているので、第２カム筒１５は、回転せずに直進部材１６と一体となって光軸方向へ移動する。
【００４７】
さらにこのとき、第２カム筒１５には、第１カム筒１２の駆動ピン１２ｂが係合しているので、第１カム筒１２も同方向に回転する。
【００４８】
また、第１カム筒１２は、第１カム筒１２のカムフォロアー１２ａが第２カム筒１５のカム部１５ａに係合しているので、光軸方向に移動する。このとき、直進筒１４は、直進キー部１４ａが第２カム筒１５の直進溝１５ｃに係合しているので、回転せずに第２カム筒１２と一体となって光軸方向へ移動する。
【００４９】
１群筒４は、フォロアー４ａが第１カム筒１２のカム部１２ｃと係合しており、また、１群筒４の凸部４ｂと直進溝部１４ｃとによって直進するようガイドされているので、光軸方向に直進移動する。
【００５０】
このようにして、１群筒４は、図１から図２の状態に移動し、さらに図３の状態へと、図４に示すカム軌跡に沿って光軸方向へ移動する。
【００５１】
図４は、本発明の実施の形態に係わるズームレンズ鏡筒の、１群レンズ及び１群筒と、２群レンズ及び２群保持部材との移動軌跡を示したものであり、各カムの軌跡の合成を表した説明図である。
【００５２】
次に、２群保持部材８の動作について説明する。
【００５３】
２群保持部材８は、図１の収納状態において、フック部８ｃとフック部９ｃとの間に架設されたバネ部材１０により移動ベース部材９と互いに近接する方向（初期位置に位置決めする方向）へ付勢されて移動ベース部材９に当接している。また、移動ベース部材９と内径部９ｄと外径部８ｄが略嵌合状態で、一体で移動可能となっている。
また、２群保持部材８のカムフォロアー部８ａは、カム部１２ｄ−３に位置しているので隙間が設けられており、係合していない。
【００５４】
このように２群保持部材８は、移動ベース部材９のカムフォロアー部９ａが第３カム筒１７のカム部１７ｃ−１に係合することで、光軸方向に対して初期位置（図１の収納状態）に位置する。
【００５５】
このズームレンズ鏡筒では、ズームレンズ鏡筒収納状態から移動を開始する際に、前述のように駆動筒２０が鏡筒繰り出し方向に回転すると、第３カム筒１７が回転する。これにより移動ベース部材９は、カムピン側面部９ｂが第２カム筒１５の直進溝１５ｃにガイドされているので、カム部１７ｃ−１（図１０に図示）の軌跡に沿って光軸方向に直進移動する。
【００５６】
このように、２群保持部材８は、図１の収納状態から図２のＷＩＤＥ状態、そして第２の撮影領域ｂにおいて移動ベース部材９のカムピンフォロアー部９ａと第３カム筒１７のカム部１７ｃ−１が係合することで移動軌跡に沿って移動する。
【００５７】
そして、２群保持部材８は、カム部１７ｃ−１の軌跡に沿って駆動され、カム部１７ｃ−１と１７ｃ−２との境界で図５に示す状態となる。
【００５８】
図５は、本発明の実施の形態に係わるズームレンズ鏡筒の、第１の撮影領域ａと第２の撮影領域ｂとの境界付近の状態を示す断面図である。
【００５９】
このカム部１７ｃ−１と１７ｃ−２との境界では、カムピンフォロアー部８ａがカム部１２ｄ−１と係合し、カムピン側面部８ｂと係合する直進溝１４ｂにガイドされ、カム部１２ｄ−１の軌跡に沿って光軸方向へ直進移動する。このようにして２群保持部材８は、第１の駆動領域ａにおいてカム部１２ｄ−１の軌跡に沿って駆動されるようになる。
このとき、２群保持部材８と移動ベース部材９は、バネ部材１０の付勢力に抗して離反する位置となり、図３の状態となる。
【００６０】
第１の撮影領域ａと第２の撮影領域ｂの境界前後には、フォロアー部８ａ、９ａと係合しない、カム部１２ｄ−２、１２ｄ−３（図８に図示）及びカム部１７ｃ−２、１７ｃ−３（図１０に図示）が設けられている。
【００６１】
このカム部１７ｃ−２、１７ｃ−３の領域では、カムフォロアー部９ａがカム部１７ｃ−２、１７ｃ−３と当接する状態で、係合が外れる。また、カム部１２ｄ−２、１２ｄ−３の領域では、カムフォロアー部８ａがカム部１２ｄ−２、１２ｄ−３と当接する状態で、係合が外れる。
【００６２】
このように、カム部１７ｃ−１と１２ｄ−１とに対して、カムフォロアー８ａと９ａとの何れか一方のみが係合するように構成されている。
【００６３】
以上説明したように、このズームレンズ鏡筒では、第２の撮影領域ｂにおいて、移動ベース部材９のカムフォロアー部９ａが第３カム筒１７のカム部１７ｃ−１に係合する。そして、第１の撮影領域ａでは、カムフォロアー部８ａが第１カム筒１２のカム部１２ｄ−１に係合する。
【００６４】
これによって、２群保持部材８は、図４に示す移動軌跡に沿って駆動される。すなわち、このズームレンズ鏡筒では、２群レンズの撮影領域における光軸方向の移動領域を、第１カム筒１２と第３カム筒１７に分割したので、２群保持部材８の光軸方向移動量をより大きく確保することができる。
【００６５】
また、第１カム筒１２は、１群筒４の外周側に配置されており、第１カム筒１２の最前面が１群筒４の最前面とほぼ同じ位置となるように、光軸方向の長さが設定されている。よって、このように構成したズームレンズ鏡筒では、カム部１２ｄの光軸方向の移動軌跡を長くでき、２群レンズの光軸方向の移動量をより大きく確保することができる。
【００６６】
また、このズームレンズ鏡筒では、第１カム筒１２の内周面側に１群筒４のカム部１２ｃと２群保持部材８のカム部１２ｄを形成して、カム筒の径方向の厚みを小さくして、鏡筒の外径を小さくし、鏡筒の小型化を図っている。
【００６７】
すなわち、このズームレンズ鏡筒の構成では、第１カム筒１２の内周側に２群保持部材８のカム部を形成し第１カム筒１２の外周面側に１群筒のカム部を形成する構成と比較して、鏡筒の小型化を図ることができる。
【００６８】
また、このズームレンズ鏡筒では、第１の撮影領域ａと第２の撮影領域ｂの境界前後にフォロアー部８ａ、９ａと係合しないカム部１２ｄ−２、１２ｄ−３、カム部１７ｃ−２、１７ｃ−３を設けて構成する。これにより、このズームレンズ鏡筒では、フォロアー部８ａとカム部１２ｄ−１から、フォロアー部９ａとカム部１７ｃ−１への係合がスムーズに行われるようにできる。
【００６９】
要するに、本発明の実施の形態に係わる図１乃至図３及び図５に要部を示すズームレンズ鏡筒では、１群レンズ１を移動させる機構を、主に、１群筒４、第１カム筒１２、第３カム筒１７及び固定筒１９によって構成する。
【００７０】
このため、このズームレンズ鏡筒では、カメラ本体に固定されるベース部材２１に、固定筒１９を固定して配置する。
【００７１】
この固定筒１９に対しては、第３カム筒（第２のカム部材）１７がカム送り機構によって、光軸方向へ繰り出し繰り込み動作可能に装着されている。
【００７２】
この第３カム筒（第２のカム部材）１７に対しては、第１カム筒（第１のカム部材）１２がカム送り機構によって、光軸方向へ繰り出し繰り込み動作可能に装着されている。
【００７３】
この第１カム筒（第１のカム部材）１２に対しては、１群レンズ１を設置した１群筒４がカム送り機構によって、光軸方向へ繰り出し繰り込み動作可能に装着されている。
【００７４】
よって、１群レンズ１は、１群筒４、第１カム筒（第１のカム部材）１２及び第３カム筒（第２のカム部材）１７の繰り出し繰り込み動作によって、光軸方向移動する。
【００７５】
次に、このズームレンズ鏡筒における、２群レンズ２を、一連に接続された第１の撮影領域ａと第２の撮影領域ｂとに渡って連続して移動させる機構について説明する。
【００７６】
このズームレンズ鏡筒では、２群レンズ２を移動させるために、２群保持部材（第１の移動部材）８と第１カム筒（第１のカム部材）１２との間に、第１の撮影領域ａ用（第１の領域用）のカム送り機構を構成する。
【００７７】
これと共に、２群保持部材（第１の移動部材）８を離脱可能に保持する移動ベース部材（第２の移動部材）９と第３カム筒（第２のカム部材）１７との間に、第２の撮影領域用（第２の領域用）のカム送り機構を構成する。
【００７８】
この２群レンズ２を移動させる機構では、第１の撮影領域ａ（第１の領域用のカム送り機構側）から第２の撮影領域ｂに移行する動作を行う。この際に、この２群レンズ２を移動させる機構では、第１の撮影領域ａ用のカム送り機構におけるカム溝（カム部１２ｄ−１）からカムフォロアー（フォロアー部８ａ）が離脱する。これと共に、この２群レンズ２を移動させる機構では、第２の撮影領域ｂ用のカム送り機構におけるカム溝（カム部１７ｃ−１）へカムフォロアー（フォロアー部９ａ）が係合する。
【００７９】
また、この２群レンズ２を移動させる機構では、第２の撮影領域ｂから第１の撮影領域ａに移行する際に、第２の撮影領域ｂ用のカム送り機構におけるカム溝（カム部１７ｃ−１）からカムフォロアー（フォロアー部９ａ）が離脱する。これと共に、この２群レンズ２を移動させる機構では、第１の撮影領域ａ用のカム送り機構におけるカム溝（カム部１２ｄ−１）へカムフォロアー（フォロアー部８ａ）が係合する。
【００８０】
これにより２群レンズ２は、第１の撮影領域ａ用のカム送り機構と第２の撮影領域ｂ用のカム送り機構との間を、スムーズに移動可能となる。
【００８１】
また、２群レンズ２は、第１カム筒１２の長さに対応した第１の撮影領域ａ用のカム送り機構の送り距離に、第３カム筒１７の長さに対応した第２の撮影領域ｂ用のカム送り機構の送り距離を加算した、長い距離を移動可能となる。すなわち、２群レンズ２は、第１カム筒（第１のカム部材）１２と第３カム筒（第２のカム部材）１７との、２個分のカム筒の長さに対応した長い距離（従来の２倍程度）を移動可能となる。
【図面の簡単な説明】
【００８２】
【図１】本発明の実施の形態に係わるズームレンズ鏡筒の収納状態を示す断面図である。
【図２】本発明の実施の形態に係わるズームレンズ鏡筒のＷＩＤＥ状態を示す断面図である。
【図３】本発明の実施の形態に係わるズームレンズ鏡筒のＴＥＬＥ状態を示す断面図である。
【図４】本発明の実施の形態に係わるズームレンズ鏡筒の、１群レンズ及び１群筒と、２群レンズ及び２群保持部材との移動軌跡を示したものであり、各カムの軌跡の合成を表した説明図である。
【図５】本発明の実施の形態に係わるズームレンズ鏡筒の、第１の撮影領域と第２の撮影領域との境界付近の状態を示す断面図である。
【図６】本発明の実施の形態に係わるズームレンズ鏡筒の、カム筒と直進筒とを組み付けた状態を取り出して示す説明図である。
【図７】本発明の実施の形態に係わるズームレンズ鏡筒の、第２カム筒と直進部材とが一体となっている状態を取り出して示す説明図である。
【図８】本発明の実施の形態に係わるズームレンズ鏡筒の、第１カム筒の内周面に形成されたカム部を展開して示す内面展開図である。
【図９】本発明の実施の形態に係わるズームレンズ鏡筒の、第２カム筒の内周面に形成されたカム部を展開して示す内面展開図である。
【図１０】本発明の実施の形態に係わるズームレンズ鏡筒の、第３カム筒の内周面に形成されたカム部を展開して示す内面展開図である。
【図１１】本発明の実施の形態に係わるズームレンズ鏡筒の、固定筒の内周面に形成されたカム部を展開して示す内面展開図である。
【図１２】本発明の実施の形態に係わるズームレンズ鏡筒の、２群保持部材８と移動ベース部材９にバネ部材１０が架設された状態の正面図である。
【符号の説明】
【００８３】
１  １群レンズ
２  ２群レンズ
３  フォーカスレンズ
４  １群筒
５  前カバー部材
６  １群キャップ部材
７  レンズ保持部材
８  ２群保持部材
９  移動ベース部材
１０  バネ部材
１１  レンズ保持部材
１２  第１カム筒
１３  キャップ部材
１４  直進筒
１５  第２カム筒
１６  直進部材
１７  第３カム筒
１８  キャップ部材
１９  固定筒
２０  駆動筒
２１  ベース部材
２２  カバー部材
２３  撮像素子
【図１】
0004974961.tif 000002
【図２】
0004974961.tif 000003
【図３】
0004974961.tif 000004
【図４】
0004974961.tif 000005
【図５】
0004974961.tif 000006
【図６】
0004974961.tif 000007
【図７】
0004974961.tif 000008
【図８】
0004974961.tif 000009
【図９】
0004974961.tif 000010
【図１０】
0004974961.tif 000011
【図１１】
0004974961.tif 000012
【図１２】
0004974961.tif 000013